(57)【特許請求の範囲】
【請求項１】
メインロープ及びライフラインが用いられる法面作業のためのグリップであって、
（１）上記メインロープが通される溝と、上記メインロープを押圧することで上記メインロープに対する上記グリップの位置を固定しうる押圧機構とを有する主部、
及び
（２）上記主部に取り付けられており、かつ、上記ライフラインに対してスライド自在な状態で上記ライフラインが挿通されうるガイド部
を有するグリップ。
【請求項２】
上記ガイド部が、上記ライフラインの端以外の箇所において、上記ガイド部への上記ライフラインの挿入が可能である形状を有する請求項１に記載のグリップ。
【請求項３】
上記ガイド部が、第一コイルと、この第一コイルの巻き方向とは逆の巻き方向を有する第二コイルとを有しており、
上記第一コイルの下端が上記第二コイルの上端と連結されている請求項２に記載のグリップ。
【請求項４】
上記ガイド部が、上記ライフラインの通過断面と同一断面において、略「Ｊ」字状の断面形状を有する第一フックと、略「Ｊ」字状の断面形状を有する第二フックとを有しており、
上記第一フックの開き方向が上記第二フックの開き方向と逆である請求項２に記載のグリップ。
【発明の詳細な説明】
【技術分野】
【０００１】
本発明は、法面作業に適したグリップに関する。詳細には、本発明は、法面に垂らされた親綱と作業者に連結された子綱との間に位置し、親綱に対する子綱の位置を固定するグリップに関する。
【背景技術】
【０００２】
法面（傾斜面）で行われる作業として、法切工、法面保護工、土留工、法面調査等が挙げられる。法切工では、斜面上の不要な土砂が撤去又は整形される。法面保護工では、枠の形成、モルタル又は客土の吹き付け、植生マット又はむしろの張り付け、緑化等が行なわれる。法面保護工により、法面の安定度が強化され、又は浸食が防止される。土留工では、斜面の末端又は中腹に土留が配される。土留工により、法面の崩壊が抑止される。法面調査では、法面の損傷等が検査される。
【０００３】
法面作業では、この法面に親綱が垂らされる。１名の作業者に対し、１本の親綱が用いられる場合と、２本の親綱が用いられる場合とがある。１本の親綱が用いられる工法は、「親綱一本式工法」と称されている。２本の親綱が用いられる工法は、「親綱二本式工法」と称されている。
【０００４】
親綱一本式工法の場合、親綱にグリップが連結される。このグリップに、一対の子綱が連結される。それぞれの子綱は、作業者が巻くベルトに連結される。作業者は、この子綱を介して親綱に体重を預け、姿勢を維持しつつ作業を行う。もし作業者が体勢を崩した場合、子綱及び親綱が、作業者の墜落を防止する。親綱一本式工法では、この親綱が姿勢維持と墜落防止との両方の役割を担う。親綱は、作業者の安全にかかわる部材である。親綱の切断を発生させない目的で、親綱の損傷等が頻繁に確認される必要がある。かかる観点から、親綱二本式工法が奨励される。
【０００５】
図１５は従来の親綱二本式工法の様子が示された正面図であり、図１６はこの工法の様子が示された平面図である。この工法では、法面Ｓに、第一の親綱であるメインロープ２と、第二の親綱であるライフライン４とが垂らされる。この工法にはさらに、尻当て６、腰ベルト８、グリップ１０、一対の第一子綱１２、スライダ１４、第二子綱１６が用いられる。尻当て６は、腰ベルト８に連結されている。作業者は、腰ベルト８を胴に巻いている。
【０００６】
図１５及び１６に示されるように、メインロープ２にグリップ１０が連結されている。グリップ１０にはロックが効いており、メインロープ２に対するグリップ１０の位置が固定されている。このグリップ１０に、一対の第一子綱１２が連結されている。それぞれの第一子綱１２は、尻当て６に連結されている。作業者は、尻当て６及び一対の第一子綱１２を介して親綱に体重を預け、姿勢を維持しつつ作業を行う。ライフライン４には、スライダ１４が通されている。このスライダ１４に、第二子綱１６が連結されている。第二子綱１６は、腰ベルト８に連結されている。もし作業者が転倒等を起こした場合、第二子綱１６によってスライダ１４が下方へ引かれる。このときスライダ１４の緊急ロック機構が働き、スライダ１４のさらなるスライドが阻止される。従って、腰ベルト８、第二子綱１６、スライダ１４及びライフライン４により作業者が吊され、作業者の墜落が阻止される。親綱二本式工法では、メインロープ２が作業者の姿勢維持の役割を担い、ライフライン４が墜落防止の役割を担う。この工法では、もしメインロープ２が切断しても、ライフライン４によって作業者の安全が守られる。作業者が上下に移動したいときは、グリップ１０を手で握り、ロックを解除する。解除により、グリップ１０がメインロープ２に対してスライドしうる。
【０００７】
親綱二本式工法に適したグリップが、特開２００４−２１５８６３公報に開示されている。このグリップは、２つの溝を有する。それぞれの溝に、１本の親綱が通される。２本の親綱が、１つの把持機構によって押圧される。
【先行技術文献】
【特許文献】
【０００８】
【特許文献１】特開２００４−２１５８６３公報
【発明の概要】
【発明が解決しようとする課題】
【０００９】
図１５及び１６に示された親綱二本式工法において、作業者にとっての作業領域は、足元前方である。この作業領域において、メインロープ２は腰の高さとほぼ同じ高さに位置しており、ライフライン４は足元に位置している。さらに、作業者の人体の左右方向において、メインロープ２は中央に位置しており、ライフライン４は左側又は右側（図１６の例では左側）に位置している。作業領域には、互いに大きく離れた２本の親綱２、４が存在する。メインロープ２及びライフライン４の存在は、作業領域を狭める。
【００１０】
作業者は、作業中に姿勢を変えたり移動したりする。このとき作業者は、親綱２、４を踏まないように気を配り、また、親綱２、４に足を引っかけないように気を配る。互いに大きく離れた２本の親綱２、４が存在するので、作業者は煩わしさを感じる。
【００１１】
特開２００４−２１５８６３公報に開示されたグリップが用いられれば、２本の親綱がほぼ同じ位置にまとめられる。しかし、このグリップは２本の親綱が通されうるように幅広なサイズとされており、作業者が手で容易には握れない。従って、作業者がグリップのロックを解除して移動することは、容易ではない。
【００１２】
特開２００４−２１５８６３公報に開示されたグリップでは、１つの把持機構がメインロープ及びライフラインを押圧する。従って、メインロープの太さとライフラインの太さとが異なる場合、細い方の親綱に対する押圧力は、不十分である。メインロープがライフラインよりも細い場合は、作業者の姿勢維持が困難である。ライフラインがメインロープよりも細い場合は、転落が防止できないこともある。
【００１３】
特開２００４−２１５８６３公報に開示されたグリップでは、押圧力が２つのロープに分散する。従って、個々のロープを押圧する力は、小さい。この観点からも、このグリップの安全性には問題がある。
【００１４】
さらに、特開２００４−２１５８６３公報に開示されたグリップでは、作業の開始時に、メインロープ及びライフラインの両方を、グリップに通しておく必要がある。このグリップの取り扱い性は、よくない。
【００１５】
法面には、約５ｍ間隔で親綱が垂らされる。作業者は、上下方向のみならず、左右方向にも移動しつつ、作業を行う。左右方向への移動のとき、作業者は、グリップの親綱を隣の親綱と取り替える。特開２００４−２１５８６３公報に開示されたグリップでは、取り替え時に、メインロープ及びライフラインの両方が、同時にグリップから外される。換言すれば、作業者の転落を防止する手段が全くない状態が生じうる。このグリップは、作業者が左右に移動する作業には、不向きである。
【００１６】
本発明の目的は、法面における広い作業領域が確保でき、かつ取り扱い性に優れるグリップの提供にある。
【課題を解決するための手段】
【００１７】
本発明に係る法面作業のためのグリップは、メインロープ及びライフラインが用いられる法面作業に用いられる。このグリップは、
（１）メインロープが通される溝と、メインロープを押圧することでメインロープに対するグリップの位置を固定しうる押圧機構とを有する主部、
及び
（２）主部に取り付けられており、かつ、ライフラインに対してスライド自在な状態でライフラインが挿通されうるガイド部
を有する。
【００１８】
好ましくは、ガイド部は、ライフラインの端以外の箇所において、ガイド部へのライフラインの挿入が可能である形状を有する。
【００１９】
好ましくは、ガイド部は、第一コイルと、この第一コイルの巻き方向とは逆の巻き方向を有する第二コイルとを有する。第一コイルの下端は、第二コイルの上端と連結されている。
【００２０】
ガイド部が、ライフラインの通過断面と同一断面において、略「Ｊ」字状の断面形状を有する第一フックと、略「Ｊ」字状の断面形状を有する第二フックとを有してもよい。第一フックの開き方向は、第二フックの開き方向と逆である。
【発明の効果】
【００２１】
本発明に係る法面作業のためのグリップでは、主部にメインロープが通され、ガイド部にライフラインが通される。換言すれば、２本の親綱がグリップによってまとめられる。このグリップが用いられた法面作業では、広い作業領域が確保されうる。ガイド部は、ライフラインに対してスライド自在である。換言すれば、グリップはメインロープのみを把持する。従って、この把持の解除は、容易である。このグリップは、メインロープの太さがライフラインの太さと異なる法面作業にも用いられ得る。このグリップは、取り扱い性にも優れる。
【図面の簡単な説明】
【００２２】
【図１】図１は、本発明の一実施形態に係る法面作業のためのグリップが示された正面図である。
【図２】図２は、図１のグリップが示された右側面図である。
【図３】図３は、図１のグリップが示された底面図である。
【図４】図４は、図１のグリップの主部が示された平面図である。
【図５】図５は、図４の主部の、開かれた状態が示された右側面である。
【図６】図６は、図４の主部が示された、正面視における部分断面図である。
【図７】図７は、図５の主部が示された、正面視における部分断面図である。
【図８】図８は、図１のグリップのガイド部が示された平面図である。
【図９】図９は、図８のガイド部がライフラインと共に示された正面図である。
【図１０】図１０は、図１のグリップが用いられた親綱二本式工法の様子が示された正面図である。
【図１１】図１１は、図１０の工法の様子が示された平面図である。
【図１２】図１２は、本発明の他の実施形態に係る法面作業のためのグリップが示された正面図である。
【図１３】図１３は、図１２のグリップが示された底面図である。
【図１４】図１４は、図１２のグリップが示された背面図である。
【図１５】図１５は、従来の親綱二本式工法の様子が示された正面図である。
【図１６】図１６は、図１５の工法の様子が示された平面図である。
【図１７】図１７は、本発明のさらに他の実施形態に係る法面作業のためのグリップが示された正面図である。
【発明を実施するための形態】
【００２３】
以下、適宜図面が参照されつつ、好ましい実施形態に基づいて本発明が詳細に説明される。
【００２４】
図１−３に示された法面作業のためのグリップ２０は、主部２２とガイド部２４とを有している。ガイド部２４は、主部２２に対し、図１における下方に位置している。このグリップ２０が法面作業に用いられるとき、図１において、右側は法面の上側であり、左側は法面の下側である。ガイド部２４は、主部２２に接合されている。典型的な接合方法は、溶接である。グリップ２０の好ましい材質は、金属である。グリップ２０の典型的な材質は、ステンレススチールである。図１−２には、グリップ２０と共に、メインロープ２（第一の親綱）及びライフライン４（第二の親綱）が示されている。
【００２５】
図４は、図１のグリップ２０の主部２２が示された平面図である。図５は、図４の主部２２の、開かれた状態が示された右側面である。図６は、図４の主部２２が示された、正面視における部分断面図である。主部２２は、受け部２６、回動部２８及び主軸３０を有している。
【００２６】
受け部２６は、溝部３２、第一平板３４、ネジ３６、第一筒３８、第二筒４０及び第三筒４２を備えている。溝部３２は、断面が略半円状である溝４４を有している。第一平板３４は、溝部３２と一体に形成されている。第一平板３４は、溝部３２から、図２における左方向に突き出している。この第一平板３４に、ネジ３６が通されている。ネジ３６は、図２における下から上に向けて、第一平板３４を通されている。第一筒３８、第二筒４０及び第三筒４２のそれぞれは、曲げ加工及び溶接により、溝部３２と一体とされている。
【００２７】
回動部２８（図５参照）は、フレーム４６、ナット４８、第四筒５０（図１及び４参照）、第五筒５２、ピン５４、レバー５６、一対の爪５８（図６参照）、一対の第一軸ピン６０、一対の第二軸ピン６２、リンク６４、係止部６６及びバネ６８（ねじりコイルバネ）を有している。
【００２８】
フレーム４６は、フロントプレート７０、バックプレート７２及び第二平板７４を有している。フロントプレート７０及びバックプレート７２は、それぞれ、図１における左右方向（法面の上下方向）に延在している。フロントプレート７０はバックプレート７２と対向しており、バックプレート７２にほぼ平行に延在している第二平板７４は、フロントプレート７０と一体に形成されている。第二平板７４は、フロントプレート７０から、図２における左方向に突き出している。図２において、第二平板７４は、第一平板３４の上に重ねられている。
【００２９】
ナット４８は、図２において、第二平板７４の上に位置している。このナット４８は、第二平板７４に接合されている。典型的な接合方法は、溶接である。図２に示された状態では、このナット４８に、ネジ３６が螺入されている。
【００３０】
第四筒５０は、溶接によりフロントプレート７０と一体とされている。第五筒５２は、溶接によりバックプレート７２と一体とされている。第四筒５０の軸線は、第一筒３８の軸線と一致している。第五筒５２の軸線は、第二筒４０の軸線と一致しており、第三筒４２の軸線とも一致している。
【００３１】
第四筒５０は、切り欠き７６を有している。ピン５４は、概ね第四筒５０に収容されている。このピン５４の軸線は、第四筒５０の軸線と一致している。ピン５４には、レバー５６が接合されている。このレバー５６は、切り欠き７６を通過している。第四筒５０には、図示されないバネ（圧縮コイルバネ）も収容されている。圧縮コイルバネは、ピン５４よりも、図１における右側（法面の上側）に位置している。この圧縮コイルバネは、ピン５４を、図１における左側（法面の下側）に付勢している。この付勢により、ピン５４の下端近傍が第一筒３８に収容されうる。
【００３２】
図６に示されるように、それぞれの爪５８は、アーム７８と歯部８０とを有している。歯部８０の底面は、ジグザグ状である。歯部８０の底面は、メインロープ２と当接している。爪５８は、１本の第一軸ピン６０により、フレーム４６に軸支されている。爪５８は、この第一軸ピン６０において、フレーム４６に対して回動可能である。爪５８はさらに、１本の第二軸ピン６２により、リンク６４に軸支されている。爪５８は、この第二軸ピン６２において、リンク６４に対して回動可能である。
【００３３】
図４及び６に示されるように、係止部６６は、リング８２とシャフト８４とを有している。リング８２は、シャフト８４の一端において、このシャフト８４と一体とされている。シャフト８４は、ねじられている。ねじりの角度は、約９０°である。このシャフト８４の他端の近傍において、このシャフト８４に、１つの第二軸ピン６２が貫通している。係止部６６は、この第二軸ピン６２において、リンク６４に対して回動可能である。シャフト８４は、第二軸ピン６２から、概して図１における左側（法面の下側）に向かって延びている。
【００３４】
図２から明らかなように、ねじりコイルバネ６８には、第二軸ピン６２が貫通している。図６に示されるように、ねじりコイルバネ６８は、右側（法面の上側）のアーム７８がリンク６４に対してなす角度が、大きくなる方向に、このアーム７８を付勢している。
【００３５】
主軸３０は、第二筒４０、第五筒５２及び第三筒４２を貫通している。この主軸３０を中心として、回動部２８は、受け部２６に対して回動自在である。図５には、回動部２８が回動中である主部２２が示されている。回動部２８の回動の方向が、図５における両矢印Ａによって示されている。
【００３６】
図７にも、図６と同様、主部２２が示されている。図７では、歯部８０の底面は、メインロープ２から浮いている。図６に示された状態から図７に示された状態に移行するときは、作業者がグリップ２０を握り、リンク６４をフレーム４６の方向へと押しつける。この押しつけ力がねじりコイルバネ６８の付勢力に勝ると、リンク６４が、フレーム４６に近づく方向に移動する。同時にリンク６４は、図６における右方向（法面の上方向）に移動する。この移動により、第二軸ピン６２において爪５８がリンク６４に対して回動する。同時に、第一軸ピン６０においても、爪５８がフレーム４６に対して回動する。第一軸ピン６０における爪５８の回動方向は、図６における時計回りである。この回動により、図７に示されるように、歯部８０の底面がメインロープ２から浮き上がる。
【００３７】
図７に示された状態から図６に示された状態に移行するときは、作業者がグリップ２０を放す。すると、ねじりコイルバネ６８の付勢力により、リンク６４がフレーム４６から遠ざかる方向に移動する。この移動により、第二軸ピン６２において爪５８がリンク６４に対して回動する。同時に、第一軸ピン６０においても、爪５８がフレーム４６に対して回動する。第一軸ピン６０における爪５８の回動方向は、図７における反時計回りである。この回動により、図６に示されるように、歯部８０の底面がメインロープ２に当接する。歯部８０は、メインロープ２を押圧する。この歯部８０を有する爪５８は、本発明では、「押圧機構」とも称される。
【００３８】
図６に示された状態では、前述の通り、歯部８０がメインロープ２に当接し、かつこのメインロープ２を押圧している。従って、この歯部８０により、グリップ２０に対するメインロープ２のスライドが阻止されている。図７に示された状態では、前述の通り、歯部８０がメインロープ２から浮いている。従って、この歯部８０の影響を受けることなく、メインロープ２は、グリップ２０に対してスライド自在である。
【００３９】
図８は、図１のグリップ２０のガイド部２４が示された平面図である。図１−３及び８に示されるように、ガイド部２４は、第一コイル８６、第二コイル８８及び中間部９０を有している。第一コイル８６は、図２における時計回りに、螺旋状である。第二コイル８８は、図２における反時計回りに、螺旋状である。換言すれば、第二コイル８８の巻き方向は、第一コイル８６の巻き方向とは逆である。中間部９０は、第一コイル８６の下端（図８における左端）と第二コイル８８の上端との間に位置している。換言すれば、第一コイル８６の下端は、中間部９０を介して、第二コイル８８の上端と連結されている。第一コイル８６は、背面に向かって開いている。中間部９０は、正面に向かって開いている。第二コイル８８は、背面に向かって開いている。第一コイル８６、第二コイル８８及び中間部９０は、１本の線材に曲げ加工が施されることで、形成されている。
【００４０】
図１に示されるように、ガイド部２４にはライフライン４が挿通されている。ガイド部２４の内寸は、ライフライン４の外径よりも若干大きい。従ってガイド部２４は、ライフライン４に対してスライド自在である。ガイド部２４により、ライフライン４が案内されうる。
【００４１】
ガイド部２４にライフライン４が通されるときは、図９（ａ）に示されるように、第一コイル８６にライフライン４が掛けられる。ライフライン４は、背面から正面に向かって、第一コイル８６に掛けられる。次に、図９（ｂ）に示されるように、中間部９０にライフライン４が掛けられる。ライフライン４は、正面から背面に向かって、中間部９０に掛けられる。最後に、図９（ｃ）に示されるように、第二コイル８８にライフライン４が掛けられる。ライフライン４は、背面から正面に向かって、第二コイル８８に掛けられる。これらの操作によりライフライン４はガイド部２４に挿通され、このガイド部２４によって保持される。このガイド部２４では、ライフライン４の途中（端以外の箇所）において、ガイド部２４へのライフライン４の挿入が可能である。このガイド部２４を有するグリップ２０は、取り扱い性に優れる。
【００４２】
ライフライン４が掛けられる順序は、図９に示された順序には限られない。順序は、
（１）第一コイル８６、中間部９０及び第二コイル８８の順
（２）第一コイル８６、第二コイル８８及び中間部９０の順
（３）中間部９０、第一コイル８６及び第二コイル８８の順
（４）中間部９０、第二コイル８８及び第一コイル８６の順
（５）第二コイル８８、第一コイル８６及び中間部９０の順
（６）第二コイル８８、中間部９０及び第一コイル８６の順
のいずれであっても構わない。第一コイル８６と中間部９０とに、同時にライフライン４が掛けられてもよい。第一コイル８６と第二コイル８８とに、同時にライフライン４が掛けられてもよい。中間部９０と第二コイル８８とに、同時にライフライン４が掛けられてもよい。第一コイル８６、中間部９０及び第二コイル８８に、同時にライフライン４が掛けられてもよい。
【００４３】
図１０及び１１には、グリップ２０が用いられた親綱二本式工法の様子が示されている。この工法では、法面Ｓにメインロープ２及びライフライン４が垂らされる。この工法にはさらに、尻当て６、腰ベルト８（安全帯）、一対の第一子綱１２、スライダ１４、第二子綱１６が用いられる。尻当て６は、腰ベルト８に連結されている。作業者は、腰ベルト８を胴に巻いている。
【００４４】
この工法が開始されるとき、作業者は、第一子綱１２の一端を尻当て６に連結し、他端をグリップ２０のリング８２に連結する。これらの連結は、カラビナ等の金具を介してなされうる。作業者は、受け部２６に介して回動部２８を回動させ、グリップ２０を開く。換言すれば作業者は、グリップ２０の主部２２を、図５に示された状態にする。作業者は溝４４にメインロープ２を通し、回動部２８を締める。作業者がネジ３６をナット４８に螺入することにより、回動部２８が受け部２６に固定される。作業者によるレバー５６の操作により、ピン５４が前進させられ、このピン５４の下端が第一筒３８に挿入される。この挿入にり、回動部２８が受け部２６に対して回動することが阻止される。前述の通りピン５４は付勢されているので、作業者がレバー５６を操作しないかぎり、ピン５４が第一筒３８から抜けることはない。
【００４５】
次に作業者は、例えば図９に示された手順により、ライフライン４をガイド部２４に通す。ライフライン４が、このライフライン４の端から、ガイド部２４に通されてもよい。このライフライン４の、グリップ２０よりも下側（法面Ｓの下側）において、スライダ１４にライフライン４が通されている。作業者は、スライダ１４に連結された第二子綱１６の一端を、腰ベルト８に連結する。
【００４６】
作業者はグリップ２０のリンク６４を押し、主部２２を図７に示された状態とする。換言すれば作業者は、グリップ２０を、メインロープ２に対してスライド自在な状態とする。そして作業者は、法面Ｓの所定位置まで下りていく。このとき、スライダ１４は、自重によりライフライン４に対してスライドし、下方へと下がる。なお、スライダ１４に代えて、グリップ式の安全装置が用いられてもよい。
【００４７】
所定位置に到着した作業者はグリップ２０を放し、主部２２を図６に示された状態とする。換言すれば作業者は、グリップ２０の位置をメインロープ２に固定する。作業者は、尻当て６及び一対の第一子綱１２を介してメインロープ２に体重を預け、姿勢を維持しつつ、法面作業を行う。作業中、もしメインロープ２が切断して作業者が落下すると、第二子綱１６によってスライダ１４が下方へ引かれる。このときスライダ１４の緊急ロック機構が働き、スライダ１４のさらなるスライドが阻止される。従って、腰ベルト８、第二子綱１６、スライダ１４及びライフライン４により作業者が吊され、作業者の墜落が阻止される。
【００４８】
図１０及び１１から明かな通り、作業者の前方において、メインロープ２とライフライン４とは、グリップ２０によってまとめられる。従って、作業者の前方において、広い作業スペースが確保されうる。
【００４９】
法面Ｓにおいて作業者が上下又は左右に移動等するとき、メインロープ２とライフライン４とがグリップ２０によってまとめられいるので、煩わしさを感じない。このグリップ２０は、法面作業の作業性を高める。
【００５０】
法面Ｓでの工法に、リトラクタ式墜落防止器具が用いられてもよい。このリトラクタ式墜落防止器具は、ケーシングと、このケーシングの中に巻き取られたワイヤと、安全装置とを有する。安全装置は、ワイヤが急激に繰り出されると、この繰り出しを阻止する。このワイヤは、ライフラインとして用いられ得る。このワイヤも、ガイド部２４に通されうる。ワイヤの外径がメインロープ２の外径と異なる場合でも、グリップ２０によってメインロープ２とワイヤとがまとめられ得る。このワイヤの先端は、第二子綱１６に連結される。リトラクタ式墜落防止器具が用いられる工法では、スライダ１４は不要である。
【００５１】
図１２は本発明の他の実施形態に係る法面作業のためのグリップ９２が示された正面図であり、図１３はこのグリップ９２が示された底面図であり、図１４はこのグリップ９２が示された背面図である。図１２には、グリップ９２と共に、メインロープ２及びライフライン４も示されている。図１３には、グリップ９２と共に、ライフライン４が示されている。このグリップ９２は、主部２２とガイド部９４とを有している。主部２２の構造は、図１−１１に示されたグリップ２０の主部２２の構造と、実質的に同じである。
【００５２】
ガイド部９４は、上フック９６、中間フック９８及び下フック１００を有する。それぞれのフックは、ライフラインと直交する断面において、略「Ｊ」字状の形状を有する。それぞれのフックは、溶接により、主部２２に接合されている。上フック９６は、背面に向かって開いている。中間フック９８は、正面に向かって開いている。下フック１００は、背面に向かって開いている。
【００５３】
ライフライン４は、途中（端以外の箇所）において、ガイド部９４に挿入されうる。具体的には、ライフライン４は、背面から正面に向かって上フック９６に掛けられ、正面から背面に向かって中間フック９８に掛けられ、背面から正面に向かって下フック１００に掛けられる。ライフライン４がガイド部９４に挿入された後は、ライフライン４はガイド部９４に対してスライド自在である。このガイド部９４により、ライフライン４が案内されうる。
【００５４】
それぞれのフックは、断面が円である棒材に曲げ加工が施されることで、形成されている。フックが、断面が矩形等である板材に曲げ加工が施されることで形成されてもよい。
【００５５】
このグリップ９２においても、メインロープ２とライフライン４とが、まとめられ得る。このグリップ９２は、作業領域の確保及び作業性に寄与しうる。
【００５６】
図１７は本発明のさらに他の実施形態に係る法面作業のためのグリップ１１０が示された正面図である。図１７には、グリップ１１０と共に、メインロープ２、ライフライン４及び子綱１１１も示されている。このグリップ１１０は、主部１１２とガイド部９４とを有している。ガイド部９４の構造は、図１２−１４に示されたグリップ９２のガイド部９４の構造と、実質的に同じである。
【００５７】
図６に示されたグリップ２０の主部２２は、２つの爪５８を有している。これに対し、図１７のグリップ１１０では、主部１１２における爪１１４の数は１つである。この爪１１４によってメインロープ２が把持され、作業者の姿勢が維持される。この爪１１４の機能は、図６に示された爪５８の機能と同様である。グリップ１１０が、ガイド部９４に変えて、図１に示されたガイド部２４を有してもよい。
【００５８】
このグリップ１１０においても、メインロープ２とライフライン４とが、まとめられ得る。このグリップ１１０は、作業領域の確保及び作業性に寄与しうる。
【産業上の利用可能性】
【００５９】
以上説明されたグリップは、法面における様々な作業に用いられ得る。
【符号の説明】
【００６０】
６・・・尻当て
８・・・腰ベルト
１２・・・第一子綱
１４・・・スライダ
１６・・・第二子綱
２０、９２、１１０・・・グリップ
２２、１１２・・・主部
２４、９４・・・ガイド部
２６・・・受け部
２８・・・回動部
３０・・・主軸
３２・・・溝部
４４・・・溝
４６・・・フレーム
５４・・・ピン
５６・・・レバー
５８、１１４・・・爪
６４・・・リンク
６６・・・係止部
７０・・・フロントプレート
７２・・・バックプレート
７８・・・アーム
８０・・・歯部
８６・・・第一コイル
８８・・・第二コイル
９０・・・中間部
９６・・・上フック
９８・・・中間フック
１００・・・下フック
【図１】
0006644360.tif 000002
【図２】
0006644360.tif 000003
【図３】
0006644360.tif 000004
【図４】
0006644360.tif 000005
【図５】
0006644360.tif 000006
【図６】
0006644360.tif 000007
【図７】
0006644360.tif 000008
【図８】
0006644360.tif 000009
【図９】
0006644360.tif 000010
【図１０】
0006644360.tif 000011
【図１１】
0006644360.tif 000012
【図１２】
0006644360.tif 000013
【図１３】
0006644360.tif 000014
【図１４】
0006644360.tif 000015
【図１５】
0006644360.tif 000016
【図１６】
0006644360.tif 000017
【図１７】
0006644360.tif 000018